(57)【要約】【課題】  必要に応じて長さを変えることができるストラップを備えた電動工具の提供。【解決手段】  ケーシング１０の後部下部に設けられた略Ｄ字状のハンドル部１１には、ストラップ３１が収容されるストラップ収容空間１０ｆが形成されている。ストラップ３１は、凹部１０ａにおいてケーシング１０外部に露出し、露出した部分を摘んで引き出すことができる。ストラップ３１は、ストラップ巻取り装置３０の弾性部材３５の弾性力によって、円筒状部材３４の外周に巻かれて、ストラップ収容空間１０ｆ内に収容される。ストラップ３１は、凹部１０ａから所望の長さで引き出された後に、固定装置２０の回動軸２２Ａとストップ受部２１とによって挟まれることにより、ケーシング１０に対して移動不能とされ、当該所望の長さが維持される。【選択図】図１
2005199396.tif 000002
【特許請求の範囲】
【請求項１】
電動モータを収容するケーシングと、
該ケーシングに設けられ該ケーシングから略環状に突出可能なストラップとを備える電動工具において、
該ケーシング内にはストラップ収容空間が画成され、該ストラップの一部は該ストラップ収容空間内に収容可能であり、
該ケーシングは、該ストラップ収容空間に収容されている該ストラップをケーシング外部へ導出するためのストラップ導出部を有し、
該ケーシングには、該ケーシング外部に引出された該ストラップの所望の長さを維持するために、該ケーシングから略環状に突出している該ストラップの部分以外の部分を該ケーシングに対して移動不能に固定するための固定手段が設けられていることを特徴とする電動工具。
【請求項２】
該ストラップ導出部には、該ケーシングの内部と外部とを連通するストラップ貫通孔が形成され、
該ケーシング内であって該ストラップ収容空間と該ストラップ貫通孔との間には該ストラップが往来するストラップ通路が形成され、
該固定手段はストラップ受部とレバーユニットとを備え、
該ストラップ受部は該ストラップ通路内であって該ストラップに対向する位置に設けられ、
該レバーユニットは、該ケーシングに対して螺進退可能に設けられ、先端が該ストラップを介在させて該ストラップ受部に離間・接近する回動軸と、該回動軸に固定されたレバーとを備えることを特徴とする請求項１記載の電動工具。
【請求項３】
該ストラップは、一端が該ケーシング内において固定され、該ケーシングの内部を通り、他端は該ストラップ収容空間内に収容され、
該ストラップに対向する該ケーシングの一部には、該ケーシングの外周面の一部からなり底面と互いに略対向する側面とによって画成され該ケーシングの内方へ窪んだ凹部が形成され、
該ストラップ導出部は、該凹部を画成する一方の該側面に形成され該ケーシングの内部と外部とを連通するストラップ貫通孔を有し、該ストラップは、該ストラップ貫通孔を貫通することにより該ケーシング内から該凹部において露出されることを特徴とする請求項１記載の電動工具。
【請求項４】
該ケーシングには、先端工具が接続される先端工具取付け部が設けられ、
該電動モータは、該先端工具取付け部が設けられている該ケーシングの前部に対する該ケーシングの後部上部内に収納され、
該ケーシングの後部下部は略Ｄ字状のハンドル部を備え、該ハンドル部の前方には該電動モータに電力を供給するためのバッテリが配置され、
該ストラップ収容空間は、該バッテリに対向する該ハンドル部の前部内であって該電動モータから離間した位置に、該電動モータ及び該バッテリとは隔離されて形成されていることを特徴とする請求項１記載の電動工具。
【請求項５】
該ケーシングには、先端工具が接続される先端工具取付け部が設けられ、
該電動モータは、該先端工具取付け部が設けられている該ケーシングの前部に対する該ケーシングの後部上部内に収納され、該ケーシングの後部上部の該電動モータが収納されている位置よりも後方に位置する後端部は、該ケーシング後方へ延出するケーシング後部延出部を有し、
該ストラップ収容空間は、該ケーシング後部延出部内に形成されていることを特徴とする請求項１記載の電動工具。
【請求項６】
該ケーシングは、分割面が互いに対向して接続され該分割面を中心とする左右対称形状をなす２つのセグメントからなり、該２つのセグメントの該分割面どうしが当接固定されて構成され、該ケーシング内には、該２つの該セグメントによって１つのストラップ収容空間が画成され、該ストラップは該１つのストラップ収容空間内に収容可能であることを特徴とする請求項１記載の電動工具。
【請求項７】
該ストラップは帯状をなし一端がケーシングに固定され、
該ストラップ収容空間内にはストラップ巻取り手段が設けられ、該ストラップの他端は該ストラップ巻取り手段に接続され、
該ストラップは該ストラップ巻取り手段によって巻取られて該ストラップ収容空間内に収容されることを特徴とする請求項１記載の電動工具。
【請求項８】
該ストラップ巻取り手段は、該ストラップ収容空間を画成する該ケーシングの一部からなる受部と、該受部によって回転不能に支持された軸部と、該軸部を中心として回転可能に該軸部に支承され、内部に軸部と同心の弾性体収容空間が形成され、周面に貫通孔が形成された円筒部材と、帯状をなし一端が該軸部に固定されて該軸部を該弾性体収容空間内で巻回し、他端が該円筒部材の該貫通孔から該円筒部材外方に突出する弾性体とを備え、
該弾性体の該他端には該ストラップの該他端が接続され、該弾性体の該軸部への巻回を解放しようとする該弾性体の弾性力によって、該ストラップは該ケーシングの該ストラップ導出部を介して該円筒部材の外周に巻付けられて、該ストラップ収容空間内に収容されることを特徴とする請求項７記載の電動工具。
【請求項９】
該ストラップ巻取り手段は一端につまみ部を有する円柱状部材を有し、該ストラップの他端は該円柱状部材に接続され、
該円柱状部材は該ケーシングに回転可能に支承され、該つまみ部は該ケーシングの外部に露出して設けられ、
該つまみ部が回転されることによって該円柱状部材が回転され該円柱状部材に該ストラップが巻付けられて、該ストラップは該ストラップ収容空間内に収容されることを特徴とする請求項７記載の電動工具。
【発明の詳細な説明】
【技術分野】
【０００１】
本発明はハンマドリル等の携帯用の電動工具に関し、特に、手首等に掛けることができるストラップを備える電動工具に関する。
【背景技術】
【０００２】
ハンマドリル等のコードレスタイプの電動工具には、一般にストラップが電動工具のケーシングに固定されて設けられている。ストラップは手首に掛けることができる程度の長さとなっており、電動工具のケーシングの後方下部に取付けられて固定される。
【０００３】
図１４に示されるように電動工具１０１は、左右対称形状の半割のケーシング１１０を有し、ケーシング１１０の後方下部にストラップ１３１が固定されている。ストラップ１３１は、半割のケーシング１１０をなす２つセグメント１１０Ａ、１１０Ｂによって、挟み込まれることによりケーシング１１０に固定されている。
【０００４】
ストラップ１３１は環状とされ、当該環状の部分の周長は略４００ｍｍ程度であり、手首を通すことができる。このため、ストラップ１３１に一方の手を通して片手で複数の電動工具１０１を持ち、更に他方の手で荷物を持ち運ぶことができる。また、電動工具１０１を用いて作業を行っている時には、不意に電動工具１０１を手放しても落下することを防止でき、安全に作業を行うことができる。また、作業中断時には、足場などの建築資材に引っ掛けることもできる。このような構成の電動工具１０１は、例えば、特開２００３−２４５８７６号公報に記載されている。
【特許文献１】特開２００３−２４５８７６号公報（２〜７頁、図１、図２、図１０、図１３）
【発明の開示】
【発明が解決しようとする課題】
【０００５】
建築現場等では高所作業が多く、このような構成による電動工具１０１では、梯子や足場を登るときに片手に電動工具１０１を持ち、電動工具１０１を持っていないもう一方の手を使って登らなければならない。そこで、ストラップ１３１を肩に掛けられる程度の長さにすることが提案されているが、ストラップ１３１を長くすると、電動工具１０１のケーシング１１０を手で持って運んでいるときにストラップ１３１が邪魔になり、また、ストラップ１３１が建築資材や部材等に引っかかる恐れがあった。
【０００６】
また、ストラップ１３１は半割のケーシング１１０で挟み込むことによりケーシング１１０に固定されているため、ストラップ１３１の取り付け・取外しを容易にできない構造になっており、不要な場合に取外したり、ユーザが使い易いように任意の長さに調整することはできなかった。
【０００７】
また、電動工具１０１を用いて作業を行う作業者からは、（１）ストラップ１３１は、長く肩に掛けられるものが良い、（２）ストラップ１３１が長いと邪魔になる、といった相反する要求があり、これらを同時に充足することは、従来の電動工具１０１では困難であった。また、（３）体格に応じてストラップ１３１の長さを変えられると、ストラップ１３１を肩に掛ける際に便利である、といった意見もあった。
【０００８】
そこで、本発明は、必要に応じて長さを変えることができるストラップを備えた電動工具を提供することを目的とする。
【課題を解決するための手段】
【０００９】
上記目的を達成するために、本発明は、電動モータを収容するケーシングと、該ケーシングに設けられ該ケーシングから略環状に突出可能なストラップとを備える電動工具において、該ケーシング内にはストラップ収容空間が画成され、該ストラップの一部は該ストラップ収容空間内に収容可能であり、該ケーシングは、該ストラップ収容空間に収容されている該ストラップをケーシング外部へ導出するためのストラップ導出部を有し、該ケーシングには、該ケーシング外部に引出された該ストラップの所望の長さを維持するために、該ケーシングから略環状に突出している該ストラップの部分以外の部分を該ケーシングに対して移動不能に固定するための固定手段が設けられている電動工具を提供している。
【００１０】
ここで、該ストラップ導出部には、該ケーシングの内部と外部とを連通するストラップ貫通孔が形成され、該ケーシング内であって該ストラップ収容空間と該ストラップ貫通孔との間には該ストラップが往来するストラップ通路が形成され、該固定手段はストラップ受部とレバーユニットとを備え、該ストラップ受部は該ストラップ通路内であって該ストラップに対向する位置に設けられ、該レバーユニットは、該ケーシングに対して螺進退可能に設けられ、先端が該ストラップを介在させて該ストラップ受部に離間・接近する回動軸と、該回動軸に固定されたレバーとを備えることが好ましい。
【００１１】
また、該ストラップは、一端が該ケーシング内において固定され、該ケーシングの内部を通り、他端は該ストラップ収容空間内に収容され、該ストラップに対向する該ケーシングの一部には、該ケーシングの外周面の一部からなり底面と互いに略対向する側面とによって画成され該ケーシングの内方へ窪んだ凹部が形成され、該ストラップ導出部は、該凹部を画成する一方の該側面に形成され該ケーシングの内部と外部とを連通するストラップ貫通孔を有し、該ストラップは、該ストラップ貫通孔を貫通することにより該ケーシング内から該凹部において露出されることが好ましい。
【００１２】
また、該ケーシングには、先端工具が接続される先端工具取付け部が設けられ、該電動モータは、該先端工具取付け部が設けられている該ケーシングの前部に対する該ケーシングの後部上部内に収納され、該ケーシングの後部下部は略Ｄ字状のハンドル部を備え、該ハンドル部の前方には該電動モータに電力を供給するためのバッテリが配置され、該ストラップ収容空間は、該バッテリに対向する該ハンドル部の前部内であって該電動モータから離間した位置に、該電動モータ及び該バッテリとは隔離されて形成されていることが好ましい。
【００１３】
また、該ケーシングには、先端工具が接続される先端工具取付け部が設けられ、該電動モータは、該先端工具取付け部が設けられている該ケーシングの前部に対する該ケーシングの後部上部内に収納され、該ケーシングの後部上部の該電動モータが収納されている位置よりも後方に位置する後端部は、該ケーシング後方へ延出するケーシング後部延出部を有し、該ストラップ収容空間は、該ケーシング後部延出部内に形成されていることが好ましい。
【００１４】
また、該ケーシングは、分割面が互いに対向して接続され該分割面を中心とする左右対称形状をなす２つのセグメントからなり、該２つのセグメントの該分割面どうしが当接固定されて構成され、該ケーシング内には、該２つの該セグメントによって１つのストラップ収容空間が画成され、該ストラップは該１つのストラップ収容空間内に収容可能であることが好ましい。
【００１５】
また、該ストラップは帯状をなし一端がケーシングに固定され、該ストラップ収容空間内にはストラップ巻取り手段が設けられ、該ストラップの他端は該ストラップ巻取り手段に接続され、該ストラップは該ストラップ巻取り手段によって巻取られて該ストラップ収容空間内に収容されることが好ましい。
【００１６】
ここで、該ストラップ巻取り手段は、該ストラップ収容空間を画成する該ケーシングの一部からなる受部と、該受部によって回転不能に支持された軸部と、該軸部を中心として回転可能に該軸部に支承され、内部に軸部と同心の弾性体収容空間が形成され、周面に貫通孔が形成された円筒部材と、帯状をなし一端が該軸部に固定されて該軸部を該弾性体収容空間内で巻回し、他端が該円筒部材の該貫通孔から該円筒部材外方に突出する弾性体とを備え、該弾性体の該他端には該ストラップの該他端が接続され、該弾性体の該軸部への巻回を解放しようとする該弾性体の弾性力によって、該ストラップは該ケーシングの該ストラップ導出部を介して該円筒部材の外周に巻付けられて、該ストラップ収容空間内に収容されることが好ましい。
【００１７】
また、該ストラップ巻取り手段は一端につまみ部を有する円柱状部材を有し、該ストラップの他端は該円柱状部材に接続され、該円柱状部材は該ケーシングに回転可能に支承され、該つまみ部は該ケーシングの外部に露出して設けられ、該つまみ部が回転されることによって該円柱状部材が回転され該円柱状部材に該ストラップが巻付けられて、該ストラップは該ストラップ収容空間内に収容されることが好ましい。
【発明の効果】
【００１８】
本発明の請求項１記載の電動工具によれば、ケーシング内にはストラップ収容空間が画成され、ケーシングはストラップ導出部を有しているため、ストラップをストラップ収容空間内に収容することができ、ストラップ導出部を介してストラップが、ストラップ収容空間からケーシング外部へ引き出され又はストラップ収容空間内に収容されることにより、ケーシング外部に位置するストラップの長さを調整することができる。
【００１９】
また、ケーシングには、ケーシングから略環状に突出しているストラップの部分以外の部分をケーシングに対して移動不能に固定するための固定手段が設けられているため、ケーシング外部に引き出されたストラップを所望の長さに維持することができる。
【００２０】
このため、場合に応じて、引き出されたストラップの部分を短くし固定して使用したり、また、高所作業における梯子の昇り降りの際には、作業者の体格に合わせて長くして固定し、肩に架けたりすることができる。また、ストラップが不要なときには、邪魔にならないようにケーシング内部に収容することができ、使い勝手が良く安全性を改善し、様々なタイプの作業者に満足のいく電動工具とすることができる。
【００２１】
本発明の請求項２記載の電動工具によれば、ケーシング内であってストラップ収容空間とストラップ貫通孔との間にはストラップが往来するストラップ通路が形成され、固定手段はストラップ受部とレバーユニットとを備え、ストラップ受部はストラップ通路内であってストラップに対向する位置に設けられ、レバーユニットは、ケーシングに対して螺進退可能に設けられ、先端がストラップを介在させてストラップ受部に離間・接近する回動軸と、回動軸に固定されたレバーとを備えているため、レバーを回動することによって回動軸の先端とストラップ受部との間でストラップを挟んでストラップの一部をケーシングに対して移動不能に固定することができる。
【００２２】
また、レバーユニットは、回動軸と回動軸に固定されたレバーとにより構成され、ケーシングに対して螺進退可能な構成とされているため、レバーを回動させる小さな操作力によって大きな軸力を発生することができる。このため、ストラップは強力な力で固定され、ケーシングに対してずれにくくすることができる。
【００２３】
本発明の請求項３記載の電動工具によれば、ストラップは、一端がケーシング内において固定され、ケーシングの内部を通り、他端はストラップ収容空間内に収容され、ストラップに対向するケーシングの一部には、ケーシングの外周面の一部からなり底面と互いに略対向する側面とによって画成されケーシングの内方へ窪んだ凹部が形成され、ストラップ導出部は、凹部を画成する一方の側面に形成されケーシングの内部と外部とを連通するストラップ貫通孔を有し、ストラップは、ストラップ貫通孔を貫通するため、ストラップをケーシング内から凹部において露出させることができ、作業者がストラップを凹部において指で容易に摘むことができる。このため、ストラップの引き出しを容易とすることができる。
【００２４】
また、ストラッブを使用しないときは、ケーシングの外部に露出しているストラップの部分を凹部内に位置する部分のみとすることができ、ストラップがケーシングの外側に突出せず、ストラップが邪魔になることを防止することができる。
【００２５】
本発明の請求項４記載の電動工具によれば、該先端工具取付け部が設けられているケーシングの前部に対するケーシングの後部上部内には電動モータが収納され、ケーシングの後部下部は略Ｄ字状のハンドル部を備え、ハンドル部の前方には電動モータに電力を供給するためのバッテリが配置され、ストラップ収容空間は、バッテリに対向するハンドル部の前部内であって電動モータから離間した位置に電動モータ及びバッテリとは隔離されて形成されているため、ストラップの近傍の位置には電動モータやギヤ、スイッチ等の部材が無く安全上優れた電動工具とすることができる。
【００２６】
また、バッテリに対向するハンドル部の前部内は、ケーシング内におけるデッドスペースであり、このデッドスペースを有効活用することができる。
【００２７】
本発明の請求項５記載の電動工具によれば、該先端工具取付け部が設けられているケーシングの前部に対するケーシングの後部上部内には電動モータが収納され、ケーシングの後部上部の電動モータが収納されている位置よりも後方に位置する後端部は、ケーシング後方へ延出するケーシング後部延出部を有し、ストラップ収容空間は、ケーシング後部延出部内に形成されているため、ハンドル部が略Ｄ字状をなしていない電動工具であってもストラップ収容空間を形成することができる。
【００２８】
本発明の請求項６記載の電動工具によれば、ケーシングは、分割面が互いに対向して接続され分割面を中心とする左右対称形状をなす２つのセグメントからなり、２つのセグメントの分割面どうしが当接固定されて構成されるため、２つのセグメントによって１つのストラップ収容空間を画成することができ、分割面においてケーシングが２分割されているときに、ストラップをケーシング内に装着させることができる。
【００２９】
本発明の請求項７記載の電動工具によれば、ストラップは帯状をなし一端がケーシングに固定され、ストラップ収容空間内にはストラップ巻取り手段が設けられ、ストラップの他端はストラップ巻取り手段に接続され、ストラップはストラップ巻取り手段によって巻取られてストラップ収容空間内に収容されるようにしたため、少ない容積のストラップ収容空間内にストラップを効率よく収容することができる。
【００３０】
本発明の請求項８記載の電動工具によれば、ストラップ巻取り手段は、ストラップ収容空間を画成するケーシングの一部からなる受部と、受部によって回転不能に支持された軸部と、軸部を中心として回転可能に軸部に支承され、内部に軸部と同心の弾性体収容空間が形成され、周面に貫通孔が形成された円筒部材と、帯状をなし一端が軸部に固定されて軸部を弾性体収容空間内で巻回し、他端が円筒部材の貫通孔から円筒部材外方に突出する弾性体とを備え、弾性体の他端にはストラップの他端が接続されているため、弾性体の軸部への巻回を解放しようとする弾性体の弾性力によって、自動的にケーシングのストラップ導出部を介して円筒部材の外周にストラップを巻付けて、ストラップ収容空間内にストラップを引込み、収容することができる。
【００３１】
また、帯状のストラップが渦巻き状に巻かれた状態でストラップ収容空間内に収容されるため、ストラップをコンパクトに収容することができる。
【００３２】
本発明の請求項９記載の電動工具によれば、ストラップ巻取り手段は一端につまみ部を有する円柱状部材を有し、ストラップの他端は円柱状部材に接続され、円柱状部材はケーシングに回転可能に支承され、つまみ部はケーシングの外部に露出して設けられているため、手動でつまみ部を回転することによって円柱状部材が回転し円柱状部材にストラップを巻付けて、ストラップ収容空間内にストラップを収容することができる。
【００３３】
また、帯状のストラップが渦巻き状に巻かれた状態でストラップ収容空間内に収容されるため、ストラップをコンパクトに収容することができる。
【発明を実施するための最良の形態】
【００３４】
本発明の第１の実施の形態による電動工具について図１乃至図１０を参照しながら説明する。図１に示されるように、電動工具１は具体的にはハンマドリルであり、ケーシング１０を備える。ケーシング１０は、分割面を中心とする左右対称形状の２つのセグメント１０Ａ、１０Ｂの分割面どうしが互いに当接固定される、いわゆる半割の構成になっており、図示せぬ先端工具が接続される先端工具取付け部１Ａを備える。ケーシング１０の後部上部内には図示せぬ電動モータが収納されており、ケーシング１０の後部下部は、略Ｄ字状のハンドル部１１を備えている。ハンドル部１１の前方には図示せぬ電動モータに電力を供給するためのバッテリ１２が配置されている。
【００３５】
なお、ケーシング１０の前後左右上下については、先端工具取付け部１Ａが設けられている位置がケーシング１０の前部の先端であり、これに対するケーシング１０の位置、即ち、図１に示されるケーシング１０の左側の端部の部分がケーシング１０の後部である。そして、図１に示されるケーシング１０の上側の部分がケーシング１０の上部であり、図１に示されるケーシング１０の下側の部分がケーシング１０の下部である。また、図１に示されるケーシング１０の、図１の紙面の手前側がケーシング１０の右側であり、図１の紙面の奥側がケーシング１０の左側である。
【００３６】
ケーシング１０の底面には凹部１０ａが形成されている。凹部１０ａは、ケーシング１０の外周面の一部を構成する底面１０Ｃと側面１０Ｄ、１０Ｅとによって画成されており、また、半割のケーシング１０を構成する２つのセグメント１０Ａ、１０Ｂが互いに分割面において接合固定されることにより、１つの凹部１０ａが画成される。側面１０Ｄ、１０Ｅは互いに対向する位置関係をなし、側面１０Ｄはストラップ導出部に相当する。
【００３７】
互いに略対向する側面１０Ｄ、１０Ｅの一部には、ストラップ貫通孔１０ｂ、貫通孔１０ｃがそれぞれ形成されており、これらはケーシング１０の内部と外部とを貫通する。ストラップ貫通孔１０ｂ、貫通孔１０ｃは、ケーシング１０を構成する２つのセグメント１０Ａ、１０Ｂの分割面の位置において、略二等分される位置関係でそれぞれ形成されており、２つのセグメント１０Ａ、１０Ｂが分割面において互いに当接固定されることによって、ストラップ貫通孔１０ｂ、貫通孔１０ｃがそれぞれ形成される。
【００３８】
ストラップ貫通孔１０ｂ内には、帯状をした後述のストラップ３１が貫通して往来可能であり、ストラップ３１は、ストラップ貫通孔１０ｂを貫通することによりケーシング１０内から凹部１０ａにおいて露出されるように構成されている。
【００３９】
凹部１０ａを画成する側面１０Ｄ、１０Ｅは、図３に示されるように、ストラップ３１の幅方向、即ち図３の上下方向においてストラップ３１の幅よりも広い。このため、後述のように、凹部１０ａの位置において、作業者が指でストラップ３１を摘むことによって、ストラップ３１を凹部１０ａから引出すことができ、また、凹部１０ａにおいて露出しているストラップ３１の、図３におけるすぐ上の位置又はすぐ下の位置から凹部１０ａ内に作業者が指を差入れ、図３の紙面の裏面から表面へ向かう方向へストラップ３１を引っ掛けて引出すこともできるように構成されている。ストラップ３１は、凹部１０ａから引出されることによって、ケーシング１０から略環状に突出する。
【００４０】
ケーシング１０の下部の後端近傍の位置には、略円柱状をしたストラップ端部固定部１３が設けられている。また、ストラップ貫通孔１０ｂと後述のストラップ収容空間１０ｆとの間には、これらを連通するストラップ通路１０ｄが形成されている。ストラップ３１は、図４、図７に示されるように、止め金具３１Ａによって固定されることによってその一端が周長略３０ｍｍ程度の環状とされ、当該環状の部分にストラップ端部固定部１３が通されることによりストラップ端部固定部１３に固定される。ストラップ３１は、ストラップ端部固定部１３からケーシング１０内に延び、貫通孔１０ｃから凹部１０ａに露出し、凹部１０ａから他方のストラップ貫通孔１０ｂを通りケーシング１０内へ入り、ストラップ通路１０ｄ内をケーシング１０の前方へ向けて延び、後述のストラップ収容空間１０ｆ内へ至る。ストラップ３１は、ストラップ通路１０ｄ内を往来可能である。
【００４１】
ケーシング１０のストラップ通路１０ｄの位置には、ストラップ受部２１とレバーユニット２２とを備える固定装置２０が設けられている。ストラップ受部２１は、ストラップ通路１０ｄ内であってストラップ３１に対向する位置にケーシング１０に対して固定されて設けられており、先端には凹凸部２１Ａが設けられ、ストラップ３１に当接可能である。レバーユニット２２は回動軸２２Ａと、回動軸２２Ａの基端において回動軸２２Ａに対して垂直に固定されたレバー２２Ｂとを備えており、回動軸２２Ａには雄螺子が螺刻されている。
【００４２】
ストラップ通路１０ｄを画成するケーシング１０の一部であって、ストラップ３１を介してストラップ受部２１に対向する位置には、ケーシング１０を貫通し雌螺子が螺刻された貫通孔１０ｅが形成されており、回動軸２２Ａの雄螺子は貫通孔１０ｅの雌螺子に螺合する。レバーユニット２２は、図３に示されるように、回動軸２２Ａを中心として略１８０°程度回動可能であり、図３に示される矢印Ａの方向に回動されることによって、回動軸２２Ａの先端が図１、図２の上方向、即ち、ストラップ３１及びストラップ受部２１に接近する方向へ螺進して、回動軸２２Ａの先端とストラップ受部２１の凹凸部２１Ａとの間でストラップ３１を挟み、ストラップ３１の一部をケーシング１０に対して移動不能に固定することができる。
【００４３】
また、図３に示される矢印Ａとは反対の方向に回動することによって、回動軸２２Ａの先端が、図１、図２の下方向、即ち、ストラップ３１及びストラップ受部２１から離間する方向へ螺退して、ストラップ３１をケーシング１０に対して移動可能とするように構成されている。なお、固定装置２０は固定手段に相当する。
【００４４】
貫通孔１０ｅの雌螺子に回動軸２２Ａの雄螺子が螺合し、回動軸２２Ａに固定されたレバー２２Ｂが回動することにより、ストラップ３１をケーシング１０に対して移動可能／移動不能とすることができるため、レバー２２Ｂを回動させる小さな操作力によって大きな軸力を発生することができる。このため、ストラップ３１は強力な力で固定され、ケーシング１０に対してずれにくくすることができる。また、ストラップ受部２１の先端には凹凸部２１Ａが設けられているため、凹凸部２１Ａの滑止め効果により更に強力に固定することができ、安全性を高めることができる。
【００４５】
バッテリ１２に対向するハンドル部１１の前部内であって図示せぬ電動モータから離間した位置には、ストラップ収容空間１０ｆが形成されている。ストラップ収容空間１０ｆは、図示せぬ電動モータ及びバッテリ１２から隔離されて形成されており、ケーシング１０を構成する２つのセグメント１０Ａ、１０Ｂの分割面の位置において、略二等分される位置関係でケーシング１０内に配置され、２つのセグメント１０Ａ、１０Ｂが分割面において互いに当接固定されることによって、１つのストラップ収容空間１０ｆが画成される。
【００４６】
ストラップ収容空間１０ｆ内にはストラップ巻取り装置３０が設けられており、図７に示されるような帯状をなすストラップ３１は、ストラップ巻取り装置３０によって巻取られてストラップ収容空間１０ｆ内に収容される。ストラップ３１は、前述のようにその一端、即ち、図７に示される右端が環状とされる。他端近傍の位置、即ち、図７に示される左端近傍の位置には、長方形状をした貫通孔３１ａが形成されており、貫通孔３１ａには、後述のようにストラップ巻取り装置３０の弾性体３５の他端が挿入され固定され、ストラップ３１と弾性体３５とが接続される。
【００４７】
ストラップ３１は、ストラップ貫通孔１０ｂ（図１、図２）を通してストラップ収容空間１０ｆからケーシング１０外部へ引き出され又はストラップ収容空間１０ｆ内に収容されることにより、ケーシング１０外部に位置するストラップ３１の長さを調整可能であり、その全長は略１．５ｍ程度である。このため、ストラップ３１を長くしてたすき掛けにしたときに、作業者の腰の辺りにケーシング１０を位置させて電動工具１を運ぶことができる。また、ストラップ３１を肩に掛けた状態で、電動工具１を用いて作業を行うことができる。
【００４８】
ストラップ巻取り装置３０は、受部３２と、軸部３３と、円筒部材３４と、弾性体３５とを備えており、ストラップ巻取り手段に相当する。受部３２は、ストラップ収容空間１０ｆを画成するケーシング１０の一部により構成されており、ストラップ収容空間１０ｆに向けて開口する四角柱状の凹部３２ａ（図２）が形成されている。軸部３３は、受部３２によって回転不能に支持されて固定されている。軸部３３は、基端３３Ａ部分が四角柱状になっており、受部３２の凹部３２ａに嵌合して固定される。軸部３３は、基端３３Ａ部分以外の部分が円柱形状になっており、先端においては、図４に示されるように直径方向に溝３３ａが形成され、２つの先端半円部３３Ｂ、３３Ｂが設けられている。
【００４９】
円筒部材３４は、一端が蓋部３４Ａ（図２）によって塞がれ、蓋部３４Ａの軸心位置には円形をした貫通孔３４ａ（図２）が形成されている。貫通孔３４ａに軸部３３の円柱形状の部分が挿入され、軸部３３と同軸的な位置関係で軸部３３から所定の距離を隔てて軸部３３は円筒部材３４によって外装される。この構成により円筒部材３４は、軸部３３を中心として回転可能に軸部３３に支承され、内部に軸部３３と同心の弾性体収容空間３４ｃが形成されている。円筒部材３４の周面には、弾性部材を通すための貫通孔３４ｂ（図４、図８）が形成されている。
【００５０】
弾性体３５は、図５に示されるように、ストラップ３１よりも幅の狭い帯状をなす。弾性体３５の一端、即ち、図５に示される右端は、図６に示されるように略半円形状とされ、当該半円形状の部分に軸部３３の先端半円部３３Ｂ（図４）の一方が通されて、弾性体３５の一端は軸部３３に固定される。弾性体３５は、図５に示されるように、その一端と他端との間の途中の位置から他端、即ち、図５の左端に至るまでは幅の小さい狭幅部３５Ａとなっており、狭幅部３５Ａの他端近傍の位置には切欠部３５Ｂが設けられている。なお、図６では、説明の便宜上弾性体３５を厚く示しているが、実際には図６に示されているものよりも薄い。
【００５１】
弾性体３５は、円筒部材３４の弾性体収容空間３４ｃ（図４）内で軸部３３を巻回してゼンマイを構成し、弾性体３５の他端は、円筒部材３４の貫通孔３４ｂから円筒部材３４外方に突出し、ストラップ３１の貫通孔３１ａに通され、弾性体３５の切欠部３５Ｂが貫通孔３１ａに引っ掛けられることにより、ストラップ３１の他端と弾性体３５の他端とが接続位置において接続される。
【００５２】
図８に示されるように、当該接続位置は、円筒部材３４の外周面上に位置し、弾性部材に接続されたストラップ３１の他端が円筒部材３４の周面に当接することにより、ストラップ３１が円筒部材３４の内部に進入できないようになっている。また、弾性体３５の狭幅部３５Ａ以外の幅の広い部分が、円筒部材３４の内周面に当接することにより、弾性体３５は、所定の長さよりも多く円筒部材３４の外周面上に引き出されないようになっている。
【００５３】
以上の構成によりストラップ巻取り装置３０は、弾性体３５の軸部３３への巻回を解放しようとする弾性体３５の弾性力によって、自動的にケーシング１０のストラップ貫通孔１０ｂを通してストラップ３１をストラップ収容空間１０ｆ内に引込み、円筒部材３４の外周にストラップ３１を巻付けて、ストラップ３１を収容することができる。
【００５４】
また、帯状のストラップ３１が渦巻き状に巻かれた状態でストラップ収容空間１０ｆ内に収容されるため、ストラップ３１をコンパクトに収容することができる。
【００５５】
ストラップ３１を使用する際にストラップ３１を電動工具１のケーシング１０から引き出された状態とするときには、先ず、固定装置２０のレバー２２Ｂが図３の右方向に回動された状態となっており、ストラップ３１がレバーユニット２２の回動軸２２Ａ（図２）とストラップ受部２１とによって挟まれていない状態となっていることを確認する。
【００５６】
次に、ケーシング１０の凹部１０ａに指を差込んでストラップ３１を指で摘み、又は指にストラップ３１を引っ掛けて、凹部１０ａからストラップ３１を引き出して、ケーシング１０外部に露出しているストラップ３１の部分を所望の長さにする。このとき、ストラップ３１が引き出されることによって、ストラップ巻取り装置３０の円筒部材３４が回転して、弾性体３５は軸部３３に巻き付くように圧縮され、弾性体３５の弾性力が高められる。
【００５７】
次に、固定装置２０のレバー２２Ｂを、図３の矢印Ａで示される方向、即ち図３の左方向に回動させて図３に示されている状態とし、レバーユニット２２の回動軸２２Ａとストラップ受部２１とによってストラップ３１を挟み、挟まれているストラップ３１の部分をケーシング１０に対して移動不能に固定して、図９に示される状態とする。このことによって、ストラップ３１がケーシング１０内に引き込まれることを阻止し、また、ケーシング１０外部に引き出されることを阻止して、所望の長さのストラップ３１が電動工具１のストラップ３１に設けられた状態とすることができる。
【００５８】
ストラップ３１の長さを長くしたいときには、先ず、固定装置２０のレバー２２Ｂを図３における右方向に回動させ、ストラップ３１がレバーユニット２２の回動軸２２Ａ（図２）とストラップ受部２１とによって挟まれていない状態とする。次に、ストラップ３１を指で摘み、凹部１０ａからストラップ３１を引き出して、ケーシング１０外部に露出しているストラップ３１の部分を所望の長さとする。
【００５９】
次に、固定装置２０のレバー２２Ｂを、図３の矢印Ａで示される方向、即ち左方向に回動させて図３に示されているような状態とし、レバーユニット２２の回動軸２２Ａ（図２）とストラップ受部２１とによってストラップ３１を挟み、挟まれているストラップ３１の部分をケーシング１０に対して移動不能に固定して、図１０に示される状態とする。
【００６０】
ストラップ３１を使用しないときには、先ず、ストラップ３１を肩や手首に掛かっていない解放された状態とする。次に、固定装置２０のレバー２２Ｂを図３の右方向に回動させ、ストラップ３１がレバーユニット２２の回動軸２２Ａ（図２）とストラップ受部２１とによって挟まれていない状態とする。このとき、ストラップ巻取り装置３０の弾性体３５の軸部３３への巻回を解放しようとする、弾性体３５の圧縮が解放される弾性力によって、ストラップ巻取り装置３０の円筒部材３４（図４）が回転する。
【００６１】
このことによってストラップ３１は、ケーシング１０のストラップ貫通孔１０ｂを通してケーシング１０内に引込まれ、円筒部材３４の外周に巻付けられ、ストラップ収容空間１０ｆ内に収容される。このときケーシング１０外部に露出しているストラップ３１の部分は、図１、図２に示されるように、凹部１０ａのストラップ貫通孔１０ｂ、貫通孔１０ｃを一直線状に掛け渡している部分のみとなり、ケーシング１０の底面位置よりも外側に突出せず、ストラップ３１が邪魔になることを防止することができる。
【００６２】
ケーシング１０には、ストラップ３１の一部をケーシング１０に対して移動不能に固定するための固定装置２０が設けられているため、ケーシング１０外部に引き出されたストラップ３１を所望の長さに維持することができる。
【００６３】
このため、場合に応じて、引き出されたストラップ３１の部分を短くし固定して使用したり、また、高所作業における梯子の昇り降りの際には、作業者の体格に合わせて長くし固定して、肩に架けたりすることができる。また、ストラップ３１が不要のときには、邪魔にならないようにケーシング１０内部に収容することができ、使い勝手が良く安全性を改善し、様々な作業者に満足のいく電動工具１とすることができる。
【００６４】
また、ケーシング１０は、分割面を中心とする左右対称形状の２つのセグメント１０Ａ、１０Ｂからなるため、分割面においてケーシング１０が２分割されているときに、ストラップ３１をケーシング１０内に装着させることができる。
【００６５】
また、ストラップ収容空間１０ｆは、バッテリ１２に対向するハンドル部１１の前部内であって図示せぬ電動モータから離間した位置に、図示せぬ電動モータ及びバッテリ１２とは隔離されて形成されているため、ストラップ３１近傍の位置には図示せぬ電動モータやギヤ、スイッチ等の部材が無く安全上優れた電動工具１とすることができる。また、バッテリ１２に対向するハンドル部１１の前部内は、ケーシング１０内におけるデッドスペースであり、このデッドスペースを有効活用することができる。
【００６６】
また、ケーシング１０の下部には凹部１０ａが形成され、ストラップ貫通孔１０ｂが側面１０Ｄの一部に形成されているため、ストラップ３１がストラップ貫通孔１０ｂを貫通することにより、ストラップ３１をケーシング１０内から凹部１０ａにおいて露出させることができ、作業者がストラップ３１を凹部１０ａにおいて指で容易に摘むことができる。このため、ストラップ３１の引き出しを容易とすることができる。
【００６７】
また、凹部１０ａの形成された面を下にして電動工具１を床に置いた場合であっても、ストラップ３１が床に直接触れず傷付きにくく、ストラップ３１の耐久性を向上させることができ、安全性を向上させることができる。
【００６８】
また、ケーシング１０の下部に凹部１０ａが形成されているため、ストラップ３１を吊下げたときに、重い部材である電動モータやギヤ部を収容するケーシング１０の部分が鉛直下方に位置し、吊下げた状態で持ち歩きする際の安定性を高めることができる。
【００６９】
次に、本発明の第２の実施の形態による電動工具１について図１１乃至図１２を参照しながら説明する。第２の実施の形態による電動工具１′は、ストラップ巻取り装置３０′が手動式である点で、弾性体３５の弾性力によって自動的にストラップ３１が巻取られる第１の実施の形態とは異なる。
【００７０】
ストラップ巻取り装置３０′は円柱状部材５３を有しており、円柱状部材５３の一端には略円盤形状をしたつまみ部５３Ｃが設けられている。つまみ部５３Ｃは、その軸心位置が円柱状部材５３の一端に固定されており、つまみ部５３Ｃよりも円柱状部材５３の他端寄りの位置には、つまみ部５３Ｃよりも径の小さい円盤形状のケーシング受部５３Ｄが設けられている。略円盤形状をしたつまみ部５３Ｃの２つの面のうちの円柱状部材５３が固定されていない側の面には、その周方向に等間隔で４つの凹部５３ｂ、５３ｂ、５３ｂ、５３ｂが形成されている。なお、図１１、図１２に示される断面図では、凹部５３ｂは２つのみ現れている。
【００７１】
ストラップ収容空間１０ｆ′を画成するケーシング１０′の一部により構成されるストラップ巻取り装置３０′の受部３２′には、ストラップ収容空間１０ｆ′に向けて開口する円柱状の凹部３２ａ′が形成されている。ストラップ収容空間１０ｆ′を画成するケーシング１０′の凹部３２ａ′に対向する位置には、ストラップ収容空間１０ｆ′とケーシング１０ｆ′外部とを連通する貫通孔１０ｇが形成されている。
【００７２】
凹部３２ａ′には円柱状部材５３の他端が挿入され、円柱状部材５３のケーシング受部５３Ｄとつまみ部５３Ｃとの間の部分がケーシング１０′の貫通孔１０ｇを貫通することによって、円柱状部材５３はケーシング１０′によって回転可能に支承されている。つまみ部５３Ｃはケーシング１０′外部に露出しており、作業者がつまみ部５３Ｃの凹部５３ｂに指を入れて回転させることができるように構成されている。
【００７３】
円柱状部材５３にはストラップ３１′の他端が固定されている。なお、ストラップ３１′の一端は、第１の実施の形態におけるストラップ３１と同様に環状とされている。つまみ部５３Ｃを回転させることにより、円柱状部材５３にストラップ３１′を巻付けてストラップ３１′をストラップ収容空間１０ｆ′内に収容し、ケーシング１０′外部に露出しているストラップ３１′の長さを調整できるように構成されている。
【００７４】
ストラップ３１′を使用する際にストラップ３１′を電動工具１′のケーシング１０′から引き出された状態とするときには、先ず、ストラップ３１′がレバーユニット２２の回動軸２２Ａとストラップ受部２１とによって挟まれていない状態となっていることを、レバー２２Ｂの位置で確認する。
【００７５】
次に、ケーシング１０′の凹部１０ａに指を差込んでストラップ３１′を指で摘み、凹部１０ａからストラップ３１′を引っ張ることによってストラップ巻取り装置３０′の円柱状部材５３が回転し、円柱状部材５３に巻付けられているストラップ３１′がストラップ貫通孔１０ｂから繰出される。このようにして、ケーシング１０′外部に露出しているストラップ３１′の部分を所望の長さにする。
【００７６】
次に、固定装置２０のレバー２２Ｂを回動させて、レバーユニット２２の回動軸２２Ａとストラップ受部２１とによってストラップ３１′を挟み、挟まれているストラップ３１′の部分をケーシング１０′に対して移動不能に固定する。このことによって、ストラップ３１′がケーシング１０′内に引き込まれることを阻止し、また、ケーシング１０′外部に引き出されることを阻止して、所望の長さのストラップ３１′が電動工具１′のストラップ３１′に設けられた状態とすることができる。
【００７７】
ストラップ３１′を使用しないときには、先ず、ストラップ３１′を肩や手首に掛かっていない解放された状態とする。次に、固定装置２０のレバー２２Ｂを回動させて、ストラップ３１′がレバーユニット２２の回動軸２２Ａとストラップ受部２１とによって挟まれていない状態とする。そして、ストラップ巻取り装置３０′のつまみ部５３Ｃを回転させて、ストラップ３１′をストラップ巻取り装置３０′の円柱状部材５３に巻き付ける。このことによってストラップ３１′は、ケーシング１０′のストラップ貫通孔１０ｂを通してケーシング１０′内に引込まれ、ストラップ収容空間１０ｆ′内に収容される。
【００７８】
ストラップ巻取り装置３０′を、一端につまみ部５３Ｃを有する円柱状部材５３を有する構成としたため、手動でつまみ部５３Ｃを回転することによって円柱状部材５３が回転し円柱状部材５３にストラップ３１′を巻付けて、ストラップ収容空間１０ｆ′内にストラップ３１′を収容することができる。
【００７９】
また、電動工具１′たるハンマドリルは、コンクリートに孔を空けるために用いられることがあるが、このような用途に使用される場合には、コンクリートの粉末がストラップ収容空間１０ｆ′内の入り込むことがある。このような場合であっても、つまみ部５３Ｃを作業者が回転させる簡単な構成であるため、ストラップ３１′の巻取りができなくなることを防止することができる。
【００８０】
本発明による電動工具は、上述した実施の形態に限定されず、特許請求の範囲に記載した範囲で種々の変形や改良が可能である。例えば、ストラップ収容空間１０ｆが形成されている位置やストラップ貫通孔１０ｂ、貫通孔１０ｃが形成されている位置は、本実施の形態の位置に限られない。例えば、図１３に示されるように、ケーシング１０″の後部上部の図示せぬ電動モータが収納されている位置よりも後方に位置する後端部が、ケーシング１０″後方へ延出するケーシング後部延出部１０Ｆ″を有する構成とし、図示せぬストラップ収容空間は、ケーシング後部延出部１０Ｆ″内に形成されるようにしてもよい。このような構成とすることにより、ハンドル部１１″が略Ｄ字状をしていない電動工具１″であってもストラップ収容空間を形成することができ、長さ調整可能なストラップ３１″を備える電動工具１″とすることができる。
【００８１】
なお、ケーシング１０″の前後左右上下については、図１に示されるケーシング１０の前後左右上下と同様であり、先端工具取付け部１Ａ″が設けられている位置がケーシング１０″の前部の先端であり、これに対するケーシング１０″の位置、即ち、図１３に示されるケーシング１０″の左側の端部の部分がケーシング１０″の後部である。そして、図１３に示されるケーシング１０″の上側の部分がケーシング１０″の上部であり、図１３に示されるケーシング１０″の下側の部分がケーシング１０″の下部である。また、図１３に示されるケーシング１０″の、図１３の紙面の手前側がケーシング１０″の右側であり、図１３の紙面の奥側がケーシング１０″の左側である。
【００８２】
また固定装置２０は、ストラップ受部２１とレバーユニット２２とを備えていたが、これに限定されない。例えば、図１３に示されるようなスライド式の固定装置２０″としてもよく、また、ボタン式としてもよい。
【００８３】
ここで、スライド式の固定装置２０″とは、図１３に示される下側の位置にスライドスイッチ２１″があるときに、スライドスイッチ２１″に対向するケーシング１０″内部の位置に設けられた図示せぬストラップ受部と、スライドスイッチ２１″とでストラップ３１″を挟んで、ストラップ３１″をケーシング１０″に対して移動不能とする。
【００８４】
また、ボタン式スイッチはボタンと固定位置維持装置とを有し、ボタンはケーシングに対して押込まれていない解放位置と押込まれている固定位置との間で移動可能で、固定位置維持装置は、ボタンが固定位置にある状態を維持する。ボタンが固定位置にあるときに、ボタンと、ボタンに対向するケーシング内部の位置に設けられたストラップ受部とでストラップを挟んで、ストラップをケーシングに対して移動不能とする。
【００８５】
また、ストラップ収容空間内には、ストラップ巻取り装置３０が設けられていなくてもよい。例えば、図１３に示されるように、ストラップ３１″を、ストラップ貫通孔１０ｂ″を通してケーシング１０″内の図示せぬストラップ収容空間内に押込むことにより、図示せぬストラップ収容空間内にストラップ３１″を収容するようにしてもよい。
【００８６】
また、ケーシング１０は、分割面を中心とする左右対称形状の２つのセグメント１０Ａ、１０Ｂにより構成されたが、セグメントの数は２つに限定されない。少なくとも２つ以上のセグメントを有し、セグメントの分割面どうしが互いに当接固定されて構成されていればよい。
【００８７】
また、ストラップの一端はケーシング内部に固定されていなくてもよく、ケーシング外部に固定されていてもよい。また、固定装置は、ケーシング内部に設けられずに、ケーシング外部に設けられて、ケーシング外部にあるストラップの部分であって該ケーシングから略環状に突出している部分以外の部分をケーシングに対して固定するようにしてもよい。
【００８８】
また、ストラップの両端がケーシングに固定されておらず、ケーシング内に２つのストラップ収容空間が形成され、ストラップの両端がそれぞれ２つのストラップ収容空間に１つずつ収容されるようにしてもよい。そして、２つのストラップ収容空間とストラップ貫通孔との間の位置には、それぞれ１つずつ計２個の固定装置が設けられ、２つの固定装置によってストラップがケーシングに対して固定されるようにしてもよい。
【００８９】
また、ケーシングにはストラップ貫通孔が形成されていなくてもよい。例えば、ケーシングの外周面に、ストラップ収容空間をなす凹部を形成し、ケーシングの外周面における当該凹部の開口部の位置に蓋を設け、蓋によって開口部を開閉可能としてもよい。そして、ストラップの一部をストラップ収容空間内に収容し、ストラップの他の部分をケーシングの外部に位置させた状態で蓋を閉じることによって、ストラッブを蓋と当該開口部を画成するケーシングの部分とで挟むことにより、ケーシング外部に位置するストラップの長さを維持・固定するようにしてもよい。
【００９０】
この場合には、当該開口部を画成するケーシングの部分がストラッブ導出部に相当し、蓋が固定手段に相当する。
【産業上の利用可能性】
【００９１】
本発明の電動工具は、作業者の手首や肩に掛けて持ち運びされるようなハンマドリル等の携帯用の電動工具の分野において極めて有用である。
【図面の簡単な説明】
【００９２】
【図１】本発明の第１の実施の形態による電動工具を示す側面部分断面図。
【図２】本発明の第１の実施の形態による電動工具のハンドル部周辺を示す要部断面図。
【図３】本発明の第１の実施の形態による電動工具のハンドル部周辺を示す底面図。
【図４】本発明の第１の実施の形態による電動工具のストラップ巻取り装置にストラップが巻付けられている状態を示す要部平面図。
【図５】本発明の第１の実施の形態による電動工具のストラップ巻取り装置の弾性体を示す平面図。
【図６】本発明の第１の実施の形態による電動工具のストラップ巻取り装置の弾性体の一端の部分を示す側面図。
【図７】本発明の第１の実施の形態による電動工具のストラップを示す側面図。
【図８】本発明の第１の実施の形態による電動工具のストラップ巻取り装置の弾性体とストラップとの接続位置を示す正面図。
【図９】本発明の第１の実施の形態による電動工具のストラップを短くして使用する状態を示す側面図。
【図１０】本発明の第１の実施の形態による電動工具のストラップを長くして使用する状態を示す側面図。
【図１１】本発明の第２の実施の形態による電動工具を示す側面部分断面図。
【図１２】本発明の第２の実施の形態による電動工具のハンドル部周辺を示す要部断面図。
【図１３】本発明の第１の実施の形態の変形例による電動工具を示す側面図。
【図１４】従来の電動工具を示す斜視図。
【符号の説明】
【００９３】
１、１′、１″・・・電動工具  １０、１０′、１０″・・・ケーシング  １０Ａ、１０Ｂ・・・セグメント  １０Ｃ・・・底面  １０Ｄ、１０Ｅ・・・側面  １０Ｆ″・・・ケーシング後部延出部  １０ａ・・・凹部  １０ｂ・・・ストラップ貫通孔  １０ｄ・・・ストラップ通路  １０ｆ・・・ストラップ収容空間  １１・・・ハンドル部  １２・・・バッテリ  ２０・・・固定装置  ２１・・・ストラップ受部  ２１Ａ・・・凹凸部  ２２・・・レバーユニット  ２２Ａ・・・回動軸  ２２Ｂ・・・レバー  ３０・・・ストラップ巻取り装置  ３１、３１′、３１″・・・ストラップ  ３２・・・受部  ３３・・・軸部  ３４ｂ・・・貫通孔  ３４ｃ・・・弾性体収容空間  ３５・・・弾性体  ５３・・・円柱状部材  ５３Ｃ・・・つまみ部  
【図１】
2005199396.tif 000003
【図２】
2005199396.tif 000004
【図３】
2005199396.tif 000005
【図４】
2005199396.tif 000006
【図５】
2005199396.tif 000007
【図６】
2005199396.tif 000008
【図７】
2005199396.tif 000009
【図８】
2005199396.tif 000010
【図９】
2005199396.tif 000011
【図１０】
2005199396.tif 000012
【図１１】
2005199396.tif 000013
【図１２】
2005199396.tif 000014
【図１３】
2005199396.tif 000015
【図１４】
2005199396.tif 000016